Podtech/llm-jp-corpus-v4-ja_patent huggingface dataset:
(57)【要約】      （修正有）【課題】拭き具に対する固定手段の有無を問わず、如何なる台部に対しても容易に着脱し得る拭き具を提供する。【解決手段】拭き取り性能を有する袋状体１ａの一端に開口部３を形成し、該開口部３の縁部３ａには開口部３を閉じる環状ゴム５を取り付けてなり、袋状体１ａを柄を備えた台部に嵌脱自在に嵌め付け、環状ゴム５により袋状体１ａを該台部に固定するようにしたことを特徴とする。本拭き具は、床面等の表面に存する水、油、ホコリ、汚れ等を好ましく拭き取る材料により形成する。【選択図】図１
0003165957.tif 000002
【実用新案登録請求の範囲】
【請求項１】
拭き取り性能を有する袋状体の一端に開口部を形成し、該開口部の縁部には該開口部を閉じる環状ゴムを取り付けてなり、該袋状体を柄を備えた台部に嵌脱自在に嵌め付け、該環状ゴムにより該袋状体を該台部に固定するようにしたことを特徴とする拭き具。
【考案の詳細な説明】
【技術分野】
【０００１】
本考案は、拭き具に関するものであり、特に、柄を備えた台部に着脱自在に取り付けられ、建物における床面、ガラス窓、網戸、浴室の壁面、天井下面等を容易に掃除することができるようにした拭き具に係るものである。
【背景技術】
【０００２】
実公平６−３４７７３号公報は、柄棒の先端に、所定の大きさを有する硬質部材と該硬質部材より大径の弾力性ある軟質部材とを、該軟質部材を下にした状態で上下に重合すると共に、これら両部材を周辺部を除く内側部分において部分的に接着一体化してなる台座を備え、軟質部材を包み込む払拭体の周辺部を両部材の非接着部間に挟持させることにより、該払拭体を台座に着脱自在に取り付けたことを特徴とするモップ（以下「従来のモップ」という。）を開示している。
【０００３】
一方、拭き取り布を柄を備えた台座に面ファスナーにより着脱自在に取り付けるようにしてなるもの（以下「従来の拭き取り具」という。）も知られている。
【先行技術文献】
【特許文献】
【０００４】
【特許文献１】実公平６−３４７７３号公報
【考案の概要】
【考案が解決しようとする課題】
【０００５】
上記従来のモップにおける払拭体は、軟質部材を包み込む払拭体の周辺部を前記両部材の非接着部間に挟持させることにより、該払拭体を台座に着脱自在に取り付けるようにしているため、該払拭体を台座に着脱する作業が面倒であるだけでなく、該払拭体を支持する台座の構造が上述の如く複雑であって該台座の製造コストが嵩むという問題がある。
【０００６】
また、上記従来の拭き取り具は、台座に対する着脱作業が面倒であるという問題がある。
【０００７】
本考案は、上記従来のモップにおける払拭体及び上記従来の拭き取り具に関する上述の如き問題を解決し、拭き具に対する固定手段の有無を問わず、如何なる台部に対しても容易に着脱し得る拭き具を提供しようとしてなされたものである。
【課題を解決するための手段】
【０００８】
上記課題を解決するために、本考案は、下記の拭き具を提供する。
【０００９】
拭き取り性能を有する袋状体の一端に開口部を形成し、該開口部の縁部には該開口部を閉じる環状ゴムを取り付けてなり、該袋状体を柄を備えた台部に嵌脱自在に嵌め付け、該環状ゴムにより該袋状体を該台部に固定するようにしたことを特徴とする拭き具。
【考案の効果】
【００１０】
本考案によれば、拭き具は、拭き取り性能を有する袋状体の一端に開口部を形成し、該開口部の縁部には該開口部を閉じる環状ゴムを取り付けてなるものであるため、柄を備えた台部に対し、取り付け、取り外しが極めて容易である。
【００１１】
また、該環状ゴムにより袋状体を該台部に固定するようにしているため、台部は、拭き具に対する挟持手段その他の固定手段を必要とせず、例えば、単なる円筒状体、板状体等であっても差し支えない。すなわち、台部は簡単な構造のものでよく、台部の製造コストも低減させることができる。
【００１２】
更に、拭き具は台部に嵌め付けることができるものであれば、拭き具と台部との寸法上、形状上の一致は要求されない。
【００１３】
加えて、拭き具は、拭き取り性能を有する袋状体の一端に開口部を形成し、該開口部の縁部には該開口部を閉じる環状ゴムを取り付けてなるものであるため、安価に提供することができると共に、洗浄容易であり、洗浄して再使用することもできる。なお、拭き具は、内外反転させて裏返しの状態で使用することも可能である。
【図面の簡単な説明】
【００１４】
【図１】図１は、本考案による拭き具の一例を示す斜視図である。
【図２】図２は、同上拭き具を台部に嵌め付けた状態を示す斜視図である。
【図３】図３は、同上拭き具と柄を備えた台部とを示す側面図である。
【図４】図４は、同上拭き具を別の台部に嵌め付けた状態を示す斜視図である。
【図５】図５は、同上拭き具を同上台部に嵌め付けた状態を示す正面図である。
【考案を実施するための形態】
【００１５】
符号１に示すものは拭き具である。拭き具１は、一例としてマイクロファイバー等の好ましい拭き取り性能ないし吸水性を有する材料により形成する。すなわち、拭き具１は、床面等の表面に存する水、油、ホコリ、汚れ等を好ましく拭き取る材料により形成する。
【００１６】
拭き具１は、一端に開口部３を備えた袋状体１ａである。すなわち、拭き具１は、拭き取り性能を有する材料により、一端に開口部３を備えた袋状体１ａに縫成等により形成する。
【００１７】
袋状体１ａにおける開口部３の縁部３ａには該開口部３を閉じる環状ゴム５を取り付ける。環状ゴム５は、袋状体１ａの開口部３を閉じる方向に常時締め付ける。
【００１８】
袋状体１aを柄７を備えた台部９に嵌脱自在に嵌め付け、該環状ゴム５により該袋状体１ａを該台部９に固定する。
【００１９】
次に、拭き具１を嵌め付ける台部９を例示する。
【００２０】
図２、図３に示す台部９は、円筒体１１の外面に発泡ウレタン等の表面部材１３を嵌着してなるものである。円筒体１１は、ポリプロピレン、ＡＢＳ樹脂等の合成樹脂、或いは金属、木材等により形成する。円筒体１１は、好ましくは柔軟性を備えている。台部９は回転不能である。なお、台部９は、角筒体（図示せず。）の外面に表面部材を嵌着してなるものであってもよい。
【００２１】
図４、図５に示す台部９’は、合成樹脂、木材等を板状に形成してなるものである。
【符号の説明】
【００２２】
１  拭き具
１ａ  袋状体
３  開口部
３ａ  縁部
５  環状ゴム
７  柄
９  台部
９’台部
１１  円筒体
１３  表面部材
【図１】
0003165957.tif 000003
【図２】
0003165957.tif 000004
【図３】
0003165957.tif 000005
【図４】
0003165957.tif 000006
【図５】
0003165957.tif 000007
(57)【要約】      （修正有）【課題】非常時に電気が切断されても、ある程度の時間は点灯し得るＬＥＤ照明灯を提供する。【解決手段】ＬＥＤ照明灯の口金１に螺合したソケットに、コンバーターを接続し、該コンバーターで電源の交流電流を直流電流に変換し、変換した直流電流を口金とＬＥＤ基板６の正負の端子部をバッテリー７を介して電気的に接続したことにより、停電時は、バッテリーを電源として、所定の時間点灯し得るようにした。【選択図】図１
0003165958.tif 000002
【実用新案登録請求の範囲】
【請求項１】
LED照明灯の口金に螺合したソケットに、コンバーターを接続し、該コンバーターで電源の交流電流を直流電流に変換し、変換した直流電流を口金とLED基板の正負の端子部をバッテリーを介して電気的に接続したことを特徴とするLED照明灯。
【請求項２】
口金と透光性カバーとの間のホルダーには、前記バッテリーを交換できるように、開閉し得るバッテリー取り出し口を形成した請求項１記載のLED照明灯。
【請求項３】
前記バッテリーは、ホルダーに固定されたバッテリー固定ブラケットに保持され、バッテリー出力側の正負の端子部と、前記バッテリー固定ブラケット底面に形成された正負の端子部とが導通する請求項１又は２記載のLED照明灯。
【考案の詳細な説明】
【技術分野】
【０００１】
本考案は、コンバーターを外付けとして、バッテリーを内蔵し、これによって、非常時の停電時にも一定時間点灯することができるようにしたLED照明灯に関する。
【背景技術】
【０００２】
LED（発光ダイオード）を用いた照明灯（以下、LED照明灯という）は、従来の照明灯と比べ、省エネルギー性に優れている。そのため、地球環境問題や化石燃料枯渇問題が高まる昨今、LED照明灯に対する重要性が高まっている。
【０００３】
一方、台風などの非常時には、停電する場合があるが、現在これに対応する照明灯は市販されていないし、このような発想自体全く知られていない。
【考案の開示】
【考案が解決しようとする課題】
【０００４】
この考案は、このような点に着目してなされたものであり、非常時に電気が切断されても、ある程度の時間は点灯し得るLED照明灯を提供することを目的とする。  
【課題を解決するための手段】
【０００５】
上記目的を達成するため、本考案者は鋭意研究の結果、コンバーターを外付けとし、バッテリーを内蔵することによって、電気が切断されても、バッテリーを電源としてある程度の時間は、点灯し得ることを見出し、本考案に到達した。
【０００６】
即ち本考案は、LED照明灯の口金に螺合したソケットに、コンバーターを接続し、該コンバーターで電源の交流電流を直流電流に変換し、変換した直流電流を口金とLED基板の正負の端子部をバッテリーを介して電気的に接続したことを特徴とする。
口金と透光性カバーとの間のホルダーには、前記バッテリーを交換できるように、開閉し得るバッテリー取り出し口を形成するのが好ましい（請求項２）。
【０００７】
前記バッテリーは、ホルダーに固定されたバッテリー固定ブラケットに保持され、バッテリー出力側の正負の端子部と、前記バッテリー固定ブラケット底面に形成された正負の端子部とが、導通するように形成するのが好ましい（請求項３）。
【０００８】
本考案によれば、非常時に電気が切断されても、ある程度の時間は点灯しているという従来のこの種LED照明灯には、全くみられない絶大な効果を奏する。
【図面の簡単な説明】
【０００９】
【図１】本考案の一実施例を示す断面図である。
【図２】コンバーターを外付けにした状態を示す斜視図である。
【図３】バッテリー固定ブラケットを示す正面図である。
【符号の説明】
【００１０】
１・・・・・・口金
２・・・・・・ソケット
３,３´・・・・・・電線
４・・・・・・コンバーター
６・・・・・・LED基板
７・・・・・・バッテリー
８・・・・・・透光性カバー
９・・・・・・ホルダー
１０・・・・・・バッテリー固定ブラケット
１４・・・・・・LED
１５・・・・・・電線
【考案を実施するための最良の形態】
【００１１】
以下、添付図面に従って、本考案の具体例を更に詳細に説明する。
【００１２】
LED照明灯の口金１には、図２に示すように、電源用ソケット２が螺合し、電源用ソケット２に電線３を介して、コンバーター４が接続され、コンバーター４は電線３´を介して交流電源に接続されるようになっている。尚、図中５は、LED照明灯を天井から吊るすための鎖である。
【００１３】
図１は、電球形LED照明灯を示すもので、口金１とLED基板６とを、バッテリー７を介して電気的に接続し、口金１に螺合したソケット２には、コンバーター４が接続され、該コンバーター４で電源の交流電流を直流電流に変換して、バッテリー７からLED基板６に直流電流が供給されるようになっている。入力側の正負の端子は、口金１の端子部及び側面に電気的に接続される。口金１がソケット２にねじ込まれて係合する際、側面と端子部が各々異なる極性の端子として機能する。バッテリー７の入力側の正負の端子は、それぞれ口金１の側面と端子部に電気的に接続されている。
口金１と透光性カバー８との間のホルダー９には、前記バッテリー７を交換できるように、開閉し得るバッテリー取り出し口が形成されている。
【００１４】
前記バッテリー７は、図３に示すバッテリー固定ブラケット１０に保持されている。固定ブラケット１０は、板体を底面１１と両側面１２,１２´を有するように折曲し、上端部を外方に向けて折曲し、先端を水平に折曲し、この水平折曲部１３,１３´でホルダー９下端部にネジ止め固定している。
【００１５】
バッテリー７を固定ブラケットの両側面１２,１２´で挟持するように横から嵌め込むと、絶縁体１６の下端に形成した正負の端子部と、バッテリー入力部の正負の端子部が接触し、同時にバッテリー出力部の正負の端子部と、ブラケット１０底部に形成された正負の端子部とが接触して電気的に導通する。上記ブラケットの正負の端子は、LED基板６に設けられた発光ダイオード１４群の正負の端子に電線１５を介して電気的に接続されている。尚、絶縁体１６は、バネの力で多少上下動するようになっている。
【産業上の利用可能性】
【００１６】
本考案によれば、非常時に電気が切断されても、ある程度の時間は点灯し得るので、停電の可能性のある地域での普及が期待される。
【図１】
0003165958.tif 000003
【図２】
0003165958.tif 000004
【図３】
0003165958.tif 000005
(57)【要約】      （修正有）【課題】手動工具の柄の先端係止部の楔の脱落を防止し、且つ、安全・安価で構造が簡単で、誰もが容易に使用可能な脱落防止用穴付楔を提供する。【解決手段】楔本体１の中央のほぼ先端に、針金やワイヤー等の係止用部材Ｗが貫通可能な係止用穴１ａを設け、又、鍬や斧等の手動工具２に楔を使用する時は、手動工具本体の係止部２ａに柄の先端を嵌挿した後、柄を嵌挿した手動工具本体係止部の隙間部に楔を嵌着する。且つ、柄３の係止部よりやや離れた柄の中央部に針金やワイヤー等の係止用部材が貫通可能な係止用穴３ａを設け、且つ、楔と柄の係止用穴部１ａ，３ａに、針金やワイヤー等の係止用部材Ｗをそれぞれ挿通締結して設ける。【選択図】図２
0003165102.tif 000002
【実用新案登録請求の範囲】
【請求項１】
鍬や斧等の手動工具の柄の先端係止部の隙間に嵌着して、柄の抜け出しを防止する楔において、該楔（１）は楔本体中央のほぼ先端に、針金やワイヤー等の係止用部材（Ｗ）が貫通可能な係止用穴（1ａ）を設けたことを特徴とする脱落防止用穴付楔。
【請求項２】
鍬や斧等の手動工具に楔（１）を使用する時は、鍬や斧等の手動工具本体（２）の係止部（２ａ）に柄（３）の先端を嵌挿した後、柄（３）を嵌挿した手動工具本体係止部の隙間部に楔（１）を嵌着し、且つ、柄の係止部（２ａ）よりやや離れた柄の中央部に針金やワイヤー等の係止用部材（Ｗ）が貫通可能な係止用穴（３ａ）を設け、且つ、楔（１）と柄（３）の係止用穴部（１ａ）（３ａ）に、針金やワイヤー等の係止用部材（Ｗ）をそれぞれ挿通し、締結して設けたことを特徴とする請求項1記載の脱落防止用穴付楔。
【考案の詳細な説明】
【技術分野】
【０００１】
この考案は、鍬や斧等の手動工具の柄の先端係止部の隙間に嵌着して、柄の抜け出しを防止する脱落防止用穴付楔に関するものである。
【背景技術】
【０００２】
従来、楔は鍬や斧等の手動工具の柄の先端部に嵌着して、柄の接合をより強固に保つ為のものであるが、長く使用する間に振動や衝撃、或いは、日照り続き等、気候や気温の変化等の影響を受け、木製の柄が乾燥して細くなり、楔が外れて柄が抜けて、作業を中断せざるを得なく成ることが多々有る。
【０００３】
そこで、上記問題を解決する為に、楔の抜け出しを防止する為に、楔の表面に複数段のＶ字状の抜け防止用段部を形成して設けたものが出願（特開平７−３０５７０４）され、既に市販もされている。しかし、この抜け防止対策品も、上記で述べたように、日照り続き等が続くと、木製の柄が乾燥して細くなり、楔が脱落して、柄が抜けてしまうというのが現状であり、更なる抜け防止対策が求められている。
【先行技術文献】
【特許文献】
【０００４】
これまでに出願されている、楔に関する特許文献を参考の為、紹介する。（特許文献１参照。）
【特許文献１】特開平７−３０５７０４
【考案の概要】
【考案が解決しようとする課題】
【０００５】
そこで、上記課題を解決する為に、この考案は、楔の脱落を防止し、且つ、安全・安価で構造が簡単で、誰もが容易に使用可能な脱落防止用穴付楔を開発・提供する事にある。
【課題を解決するための手段】
【０００６】
この課題を解決するための手段として、楔本体中央のほぼ先端に、針金やワイヤー等の係止用部材が貫通可能な係止用穴を設け、又、鍬や斧等の手動工具に楔を使用する時は、鍬や斧等の手動工具本体の係止部に柄の先端を嵌挿した後、柄を嵌挿した手動工具本体係止部の隙間部に楔を嵌着し、且つ、柄の係止部よりやや離れた柄の中央部に針金やワイヤー等の係止用部材が貫通可能な係止用穴を設け、且つ、楔と柄の係止用穴部に、針金やワイヤー等の係止用部材をそれぞれ挿通締結して設けたものである。
【考案の効果】
【０００７】
この考案の効果として、楔本体中央のほぼ先端に、針金やワイヤー等の係止用部材が貫通可能な係止用穴を設け、又、鍬や斧等の手動工具に楔を使用する時は、鍬や斧等の手動工具本体の係止部に柄の先端を嵌挿した後、柄を嵌挿した手動工具本体係止部の隙間部に楔を嵌着し、且つ、柄の係止部よりやや離れた柄の中央部に針金やワイヤー等の係止用部材が貫通可能な係止用穴を設け、且つ、楔と柄の係止用穴部に、針金やワイヤー等の係止用部材をそれぞれ挿通締結して設けたことで、楔の脱落を確実に防止し、且つ、安全・安価で構造が簡単で、誰もが容易に使用可能にする等、極めて有益なる効果を奏するものである。
【図面の簡単な説明】
【０００８】
【図１】この考案の一実施例を示し、楔の斜視図である。
【図２】この考案の使用例を示し、鍬の柄の先端部に、楔を係止部材で係止した時の状態を示す、斜視図である。
【考案を実施するための形態】
【０００９】
この考案を実施するための形態として、鍬や斧等の手動工具の柄の先端係止部の隙間に嵌着して、柄の抜け出しを防止する楔において、該楔（１）は楔本体中央のほぼ先端に、針金やワイヤー等の係止用部材（Ｗ）が貫通可能な係止用穴（1ａ）を設けたことを特徴とする脱落防止用穴付楔から構成される。
【００１０】
又、鍬や斧等の手動工具に楔（１）を使用する時は、鍬や斧等の手動工具本体（２）の係止部（２ａ）に柄（３）の先端を嵌挿した後、柄（３）を嵌挿した手動工具本体係止部の隙間部に楔（１）を嵌着し、且つ、柄の係止部（２ａ）よりやや離れた柄の中央部に針金やワイヤー等の係止用部材（Ｗ）が貫通可能な係止用穴（３ａ）を設け、且つ、楔（１）と柄（３）の係止用穴部（１ａ）（３ａ）に、針金やワイヤー等の係止用部材（Ｗ）をそれぞれ挿通し、締結して設けたことを特徴とする脱落防止用穴付楔から構成される。
【実施例１】
【００１１】
そこで、この考案の一実施例を図１〜図２に基づいて詳述すると、まず、楔は図１に示すように、市販の楔に対して、楔本体中央の上端から約５ｍｍ程度の位置に、針金やワイヤー等が貫通可能な、約φ３ｍｍ程度の係止用穴（１ａ）を追加工して設けたもので、実際に製作する場合は、熱処理（焼き入れ）前に係止用穴（１ａ）を加工して、その後、熱処理を施す必要がある。
【００１２】
又、図１の場合は、市販品の楔に対して、係止用穴を追加工したものである為、抜け出し防止用の複数のＶ字状の段（１ｂ）が設けてあるが、このＶ字状の段（１ｂ）は、無くても構わない。
【００１３】
次に、この考案の楔（１）を使用する際の取付要領を説明すると、図２に示すように、まず、鍬や斧等の手動工具本体（２）の係止部（２ａ）に木製の柄（３）の先端を嵌挿し、且つ、楔（１）と柄（３）の係止用穴部（１ａ）（３ａ）に、針金やワイヤー等の係止用部材（Ｗ）をそれぞれ挿通し、締結して設けたものである。
【産業上の利用可能性】
【００１４】
この考案の脱落防止用穴付楔は、楔の脱落を防止し、且つ、安全・安価で構造が簡単で、誰もが容易に使用可能である為、製造・販売する事で、農作業に携わる多くの関係市場に寄与する為、産業上の利用可能性を有する。
【符号の説明】
【００１５】
１  楔
１ａ  係止用穴
１ｂ  Ｖ字状の段
２  手動工具本体
２ａ  係止部
３  柄
３ａ  係止用穴
Ｗ  係止用部材
【図１】
0003165102.tif 000003
【図２】
0003165102.tif 000004
(57)【要約】【課題】  利用者の馴れ、不馴れに係らず一定の液滴を、安定して、バラツキなく滴下でき、いつ誰が使っても、不特定のスポイトを選択しても、その内容物の効果を定量的に期待できるスポイトを提供する。【解決手段】  先端細管部内径を１．０ｍｍ以上乃至１．０５ｍｍ未満とし、その先端材料表面をシリコーン処理して、水との接触角を増大させたことにより、ほとんどバラツキのない大きさの液滴を得られるに至った。【選択図】図１
0003165853.tif 000002
【実用新案登録請求の範囲】
【請求項１】
胴体部及び先端部からなるガラス製スポイトであって、全体の長さが４０〜１００ｍｍ、胴体部の長さと先端部の長さの比が１対１乃至３対１、先端部の内径が１．０ｍｍ以上乃至１．０５ミリメート未満であり、且つ先端部内壁がシリコーン処理してあることを特徴とするスポイト。
【考案の詳細な説明】
【技術分野】
【０００１】  本発明は、少量の液体を吸い上げ、別の容器、或いは所定の場所に移動させるスポイト、より詳細には、水溶液を吸い上げ、所定の場所に滴下するスポイトであって、液滴をバラツキのない大きさ及び重量として滴下することを特徴とするスポイトに関する。
【背景技術】
【０００２】  従来、各種タイプのスポイトが使用されてきている。材質もガラス、プラスチック、弾性材料等多種の材料が用いられ、形状も大小を含め多様であり、吸引手段も様々なものがある。移動させる液体により損傷を受けない材料、機械的外力により破損しないような材料等と利用者が使い易いよう種々の検討がなされてきた。
しかし、何れも液体を移動させることに主眼が置かれ、移動させる液体量の制御、移動させる液体を常に一定に保つという点に関しては配慮が欠けていた。
所定の移動場所に、所定量の液体を移動させることは、特に生体反応、医療分野、或いは化学反応を扱う分野等においては極めて重要な意味を有する。【０００３】  液体を定量的取り扱うスポイトとしては、下記のような発明が開示されている。特許文献１記載のスポイトは、スポイトに液体を定量的に吸引できるが、その量は吸引手段である弾性帽状体の大きさに対応する量であり、移動後に排出する全体の液体量は計量できても、滴下する液滴量のバラツキを制御はできない。特許文献２記載のスポイトは、液滴のバラツキをスポイトについた目盛りで補うものであって、個々の液滴のバラツキを制御できるものではない。特許文献３記載のスポイトも、数十マイクロリットル程度の微小な液体を吸引はできるが、液滴の定量的な滴下には必ずしも適していなかった。
ある程度まとまった量の液体を吸引、移動するためには前記特許文献記載のスポイトも有用ではあるが、数滴の液体を取り扱うときには適しているとは言い難い。これまでのスポイトは、利用者の馴れ、不馴れの程度でも液滴のバラツキは大きく、特に高価な試薬、試剤を取り扱う場合には、安定した、バラツキのない液滴を得るスポイトが望まれていた。
【先行技術文献】
【特許文献】
【０００４】
【特許文献１】特開２００２−２１１６２３号公報
【特許文献２】特開２００５−１８７０２８号公報
【特許文献３】特開２００８−２８４５号公報
【考案の概要】
【考案が解決しようとする課題】
【０００５】  本考案では前記の問題点を考慮し、利用者の馴れ、不馴れに係らず一定の液滴を、安定して、バラツキなく滴下できるスポイトを提供し、いつ誰が使っても、不特定のスポイトを選択しても、その内容物の効果を定量的に期待でき、且つ貴重な、微小試薬・試剤の無駄な消費を抑制し、資源の有効活用及びコスト低減も図れることを目的とした。
【課題を解決するための手段】
【０００６】  本考案では上記課題を解決するために、液体吸引手段を、変形が連続的に進行できる弾性材料で構成し、液体の流れが急激に変化しないようスポイト胴部と先端細管部の長さと管径、並びに長手方向の長さ比及び管径比を鋭意研究した結果から定めると共に、特に先端内径を一定に揃える作製法を考案したことにより、先端細管部内径を１．０ｍｍ以上で、且つ１．０５ｍｍ未満とすることを可能とし、且つその先端材料表面をシリコーン処理して、水との接触角を増大させたことにより、ほとんどバラツキのない大きさの液滴を得られるに至った。
【考案の効果】
【０００７】  本考案のスポイトを使用することにより、薬剤を含有する水溶液の液滴を、大きさ及び重量にほとんどバラツキない状態で繰り返し得ることができる。
本考案のスポイトによれば、利用者のスポイトの取り扱いに対する馴れ、或いは不馴れに関係なく、いつ誰が使っても、不特定のスポイトを選択し使用しても、安定して、ほとんどバラツキのない大きさの液滴を得ることができる。
このスポイトは、特に精度を要求される医薬品分野、精密化学分野で使用されるのに適しており、高価な薬品を無駄なく、有効に利用できるという経済的な面でも寄与できる。
【図面の簡単な説明】
【０００８】
【図１】  本考案のスポイトの断面概略図である。
【考案を実施するための形態】
【０００９】  図１に本考案の一実施例を示す。
本考案のスポイトは、一般に知られているスポイト形状と類似の形状から選択することができる。本考案のスポイト１は、胴体部２及び先端部３からなり、胴体部の長さＡと先端部の長さＢの比は、１対１乃至３対１が好ましい。スポイトの全長Ｃは４０〜１００ｍｍが取扱い上好ましい。材質は、例えばホウ珪酸ガラスのように通常使用されているガラスから選択できる。
本考案のスポイトの先端部内径は、１．０ｍｍ以上で、１．０５ｍｍ未満であり、更にその先端部はシリコーン処理が施されていることを特徴とする。シリコーン処理は、通常使用されているシリコーン処理剤から選択した処理剤を、一般的には浸漬処理により塗布する。
【実施例１】
【００１０】  図１に示すスポイトを作製した。ここで、Ａは４０ｍｍ、Ｂは２０ｍｍ、Ｃは６０ｍｍ、Ｄは１．０ｍｍ、Ｅは９．０ｍｍである。このスポイトを用いて、蒸留水を１０滴滴下させ、その重量を測定した。全体で、５０回測定した。５回毎の平均値を表１に示す。液滴の平均重量は０．３０１０ｇで、最大値と最小値の差は０．０１５２ｇであった。
【実施例２】
【００１１】  同サイズで、シリコーン処理していない市販のスポイトを用いた以外は、実施例１と同様に１０滴毎の液重量を測定した。結果を表１に示す。液滴の平均重量は０．３１５２ｇで、最大値と最小値の差は０．０４８４ｇであった。
【実施例３】
【００１２】  先端部内径を０．９ミリメートルとした以外は、実施例１と同様に１０滴毎の液重量を測定した。結果を表１に示す。液滴の平均重量は０．２９７２ｇで、最大値と最小値の差は０．０２２１ｇであった。【００１３】
【表１】
0003165853.tif 000003
【産業上の利用可能性】
【００１４】  本考案のスポイトは、液滴の大きさ或いは重量にバラツキがないため、特に微量薬剤を定量的に扱う必要のある医薬品分野、精密化学分野で有用である。
【符号の説明】
【００１５】  １  本考案のスポイト、２  スポイトの胴体部、３  スポイトの先端部、Ａ  スポイトの胴体部長さ、Ｂ  スポイトの先端部長さ、Ｃ  スポイトの全体の長さ、Ｄ  スポイト先端部内径、Ｅ  スポイト胴体部の内径
【図１】
0003165853.tif 000004
(57)【要約】【課題】翌月のカレンダーをめくることなく見たり書き込んだりできるような綴じカレンダーを提供する。【解決手段】一枚につき複数月のカレンダーを順に片側所定箇所に記載した複数枚のカレンダー用紙１からなる綴じカレンダーにおいて、当該カレンダー用紙１における各月カレンダー記載箇所１Ａを区分する境界線部に破切用ミシン目２を設ける。【選択図】図１
0003165858.tif 000002
【実用新案登録請求の範囲】
【請求項１】
一枚につき複数月のカレンダーを順に片側所定箇所に記載した複数枚のカレンダー用紙からなる綴じカレンダーにおいて、当該カレンダー用紙における各月カレンダー記載箇所を区分する境界線部に破切用ミシン目を設けたことを特徴とする綴じカレンダー。
【考案の詳細な説明】
【技術分野】
【０００１】この考案は、複数月のカレンダーが印刷された用紙を綴じて一年分とした綴じカレンダーに関する。
【背景技術】
【０００２】年毎に製作されるカレンダーの形態は、複数月のカレンダーが印刷された用紙を複数枚上縁で綴じて一年分とする、壁掛用の綴じカレンダーが多い。そして多くの場合、用紙の下部に２ケ月分のカレンダーを並べて印刷したものを６枚綴じて一年分の綴じカレンダーとしており、ユーザーは２ケ月毎に、過ぎ去った分の表出用紙を綴じ部より切り（破り）離し次の２ケ月分を表出させている。
【考案の開示】
【考案が解決しようとする課題】
【０００３】このような在来の綴じカレンダーにおいて、ユーザーにとっては、下部に印刷された２ケ月が経過・終了する以前に、翌月のカレンダーを見たい場合がしばしばあるが、その場合は表出用紙をめくって下の記載月カレンダーを見なくてはならず、一方、過ぎ去った（左側の）カレンダーは、用もないのにそのまま一ヵ月も居座り続けるという不都合があった。本考案はかかる問題点を解決することを課題とする。
【課題を解決するための手段】
【０００４】一枚につき複数月のカレンダーを順に片側所定箇所に記載した複数枚のカレンダー用紙１からなる綴じカレンダーにおいて、当該カレンダー用紙１における各月カレンダー記載箇所１Ａを区分する境界線部に破切用ミシン目２を設けて、本考案の綴じカレンダーとする。【０００５】ここで複数月というのは、事実上６ケ月以内となるが、実際には圧倒的に２ケ月であり、これを図示したように用紙の下部に横並記したものが通常である。これを典型的な形態として、以下、図面と共に説明する。
【考案を実施するための最良の形態】
【０００６】図１は、例えば２０１０年用の６枚綴りのカレンダーで、新品状態を示す。その下部におけるカレンダー記載箇所１Ａには１月と２月のカレンダーが印刷されており、その境界線部にはＴ字状に破切用ミシン目２が設けられている。ユーザーはこのままの状態で１月末まで壁に掛けるなどして使用する。【０００７】２月に入ると、ユーザーは左下の１月のカレンダー部を該ミシン目２より引き破り除去して、図２のようにして２月末まで使用する。この状態では、３月のカレンダーが左下部に顕現するから、翌月の予定を考えたり書き込んだりするのにわざわざめくる必要がなく、甚だ便利である。【０００８】また３月になれば、ユーザーは右下の２月のカレンダー部を該ミシン目２より引き破り除去し、図３のようにして３月末まで使用する。この状態では、４月のカレンダーが右下部に顕現するので、同様に翌月のことを知ったり書き込んだりできる。【０００９】同様にして４月は図４のようになり、以下、同じ要領で毎月ミシン目で一月分のカレンダーを引き破りつつ使用する。【００１０】なお上例では下部に２ケ月分を横並列したカレンダーについて述べたが、仮にこれが右横などに縦列したり２ケ月以外の場合であっても、基本は同じである。
【考案の効果】
【００１１】このように本考案によれば、綴じカレンダーにおいて、翌月のカレンダーを常にめくることなく顕現させておくことができるから、翌月のことを知ったり書き込んだりするのに甚だ便利であり、また過ぎ去った前月のカレンダーが居座り邪魔になることがないなど、甚大な効果がある。
【産業上の利用可能性】
【００１２】本考案の綴じカレンダーはニーズが大いにあり、製造も至って容易であるから、産業上の利用可能性は十分にある。
【図面の簡単な説明】
【００１３】
【図１】本考案一例の新品状態を示す正面図
【図２】同例を翌月における使用状態で示す正面図
【図３】同例を更に翌月における使用状態で示す正面図
【図４】同例をその更に翌月における使用状態で示す正面図
【符号の説明】
【００１１】１……カレンダー用紙
１Ａ……カレンダー記載箇所
２……破切用ミシン目
【図１】
0003165858.tif 000003
【図２】
0003165858.tif 000004
【図３】
0003165858.tif 000005
【図４】
0003165858.tif 000006
(57)【要約】      （修正有）【課題】注出口（キャップ取付口）を容器本体の上部中心から偏心させることで、容器本体の底面を１８０度上段に上げずとも完全に内容物を抽出できるペットボトルを提供する。【解決手段】ペットボトル注出口の外径をペットボトル本体側面の直線延長線上に成形する。この一線を下方にして内容物の抽出を行えば、ペットボトル本体の底面の上昇角度が少く完全な抽出が可能であり、更にその内容物の残量に応じペットボトル本体を横に、注出口を上、中、下方に回転することにより絶妙な抽出効果を提供することができる。【選択図】図１
0003165825.tif 000002
【実用新案登録請求の範囲】
【請求項１】
飲料用をはじめ、各種用途の容器として使用されているペットボトルであって、ペットボトル注出口（キャップ取付口）（図１）の外径をペットボトル本体側面（図２）の直線延長線上に成形することを特徴とするペットボトル。
【請求項２】
上記注出口の成形は、容器の外形に拘らずペットボトル本体側面の一直線上に成形することを特徴とする請求項１記載のペットボトル。
【考案の詳細な説明】
【技術分野】
【０００１】  本考案は飲料用ペットボトル、その他各種用途ペットボトルに関する。
【背景技術】
【０００２】  従来、ペットボトルは各種用途の容器として、多種多様な形態で製造され使用されているが、いづれも容器注出口（キップ取付口）はボトル本体上部の中心に形成されている。【０００３】  上述の如く、ペットボトル注出口が上記位置に形成されているため、ペットボトルの内容物を抽出する際には注出口を下向きにし、ボトル本体底面を最上段に上昇させなければその内容物は完全に抽出できないのである。【０００４】  例えば、飲料用ペットボトルの場合、その飲料を呑み切るためには呑み口（注出口）を口に、顔は天を仰ぎ、ペットボトル底面を最上段に上げながら呑み切る姿は見栄の良いものではない。
【考案の開示】
【考案が解決しようとする課題】
【０００５】  上述の如く、各種ペットボトルにおいても、その内容物を抽出するためにはボトル本体注出口を下向きにボトル本体底面を１８０度上げなければ完全に抽出し切れないのである。【０００６】  本考案ペットボトルは、飲料用はより飲み易く、各種用途用は、その内容物をより抽出し易くその効果を高めるのが目的である。
【課題を解決するための手段】
【０００７】  上述の目的を達成する本考案のペットボトルは、ボトル本体側面を直線に延長した本体上部位置に注出口外径側面が一線上に成形することを特徴とする。【０００８】  上述の如く、ペットボトル注出口を成形することにより、その内容物の抽出は従来のペットボトルと比較してボトル本体の底面を上昇させる傾斜角度が少く、その利便性は極めて有効である。
【考案の効果】
【０００９】  以上説明の通りペットボトル注出口（キャップ取付口）が本考案の成形により、飲料用はより飲み易く、各種用途においてはその内容物の抽出のし易さを追及したものであり、その効果は極めて有効である。
【考案を実施するための最良の形態】
【００１０】  現在市販のペットボトルは本体の外観上の形態は多種多様であるが、本願では丸形、四角形を例に図示した、以下本考案の実施の形態を図面に基づいて説明する。【００１１】  図１〜図４は本考案の形態に係り、図１、図３は側面図、図２、図４はそれぞれ外形の異なる平面図である。【００１２】  図１、図３に示すように本考案ペットボトルは、いづれも本体側面（２）の直線延長線上に注出口（キャップ取付口）（１）を成形することを特徴とする。
【図面の簡単な説明】
【００１３】
【図１】本考案の実施形態を示す外観図である。
【図２】本考案ペットボトル丸形平面図である。
【図３】図１と外形の異なる側面図である。
【図４】図２と外形の異なる平面図である。
【符号の説明】
【００１４】  １、ペットボトル注出口（キャップ取付口）。
２、ペットボトル本体。
【図１】
0003165825.tif 000003
【図２】
0003165825.tif 000004
【図３】
0003165825.tif 000005
【図４】
0003165825.tif 000006
【手続補正書】
【提出日】平成22年11月11日(2010.11.11)
【手続補正１】
【補正対象書類名】実用新案登録請求の範囲
【補正対象項目名】全文
【補正方法】変更
【補正の内容】
【実用新案登録請求の範囲】
【請求項１】
飲料用をはじめ、各種用途の容器として使用されているペットボトルであって、ペットボトル注出口の外径をペットボトル本体側面の直線延長線上に成形することを特徴とするペットボトル。
【請求項２】
上記注出口の成形は、容器の外形に拘らずペットボトル本体側面の一直線上に成形することを特徴とする請求項１記載のペットボトル。
(57)【要約】【課題】  脱いだ履物を自動的に反転させる玄関マットを提供する。【解決手段】玄関マットの内部に、円形の回転盤装置を設け、履物を回転盤上で脱ぐことにより、人間の体重で回転盤と連結している心棒が垂直に下がりスプリングを圧縮する。  心棒の下部には、スプリングで圧縮された鉄球が設けてあり、重力が軽くなると筒の内側に設けた螺旋状の回転溝に従って鉄球が誘導され、圧縮したスプリングを利用して反転位置まで心棒を押し上げる。  心棒は上下毎に１８０度回転するが、反転位置は筒の内部に設け鉄球止め溝で定める。  この心棒の上下の反復により履物を脱いだ後、回転盤上の履物を自動的に反転させることができることを特徴とする。【選択図】図１
0003165827.tif 000002
【実用新案登録請求の範囲】
【請求項１】
玄関マット（８）の内部に、円形の回転盤装置を設け、履物を回転盤（１）上で脱ぐことにより、人間の体重で回転盤と連結している心棒（２）が垂直に下がりスプリング（４）を圧縮し、心棒の下部に、スプリングで圧縮された鉄球（５）を設け、重力が軽くなると筒（３）の内側に設けた螺旋状の回転溝（６）に従って鉄球が誘導し、圧縮したスプリングを利用して反転位置まで心棒を押し上げ、心棒は上下毎に１８０度回転するが、反転位置は筒の内部に設け鉄球止め溝（７）で定め、心棒の上下の反復により履物を脱いだ後、回転盤上の履物を自動的に反転できることを特徴とする自動反転玄関マット。
【考案の詳細な説明】
【技術分野】
【０００１】  この考案は、脱いだ履物を自動的に反転させる円形の回転盤装置を設けた玄関マットである。
【背景技術】
【０００２】  履物は人間の手や足で反転させて履いていた。
【考案の概要】
【考案が解決しようとする課題】
【０００３】  これには次のような不便があった。
履物を脱ぎっぱなしにした場合、次回使用する場合には人間の手や足で反転させてから履物を履いていた。
この不便を解消するために、自動的に履物が反転するよう考案したものである。
【課題を解決する手段】
【０００４】  玄関マット（８）の内部に円形の回転盤（１）を設け、履物を回転盤上で脱ぐ事により、人間の体重で心棒（２）が垂直に下がりスプリング（４）が圧縮される。
重力が軽くなると、心棒が筒（３）の内側に設けた螺旋状の回転溝（６）に誘導され、回転しながらスプリングにより反転位置まで押し上げられる。
これにより履物を脱いだ後、回転盤上の履物が自動的に反転する玄関マットである。
【考案の効果】
【０００５】  急用時に慌てなくても行動ができ、腰痛時に助かる。
何より、些細な事ではあるが日常生活での面倒な事が軽減する。
【図面の簡単な説明】
【０００６】
【図１】回転盤が上がった状態の側面図
【図２】回転盤が下がった状態の側面図
【図３】筒の回転溝の側面図
【図４】心棒と筒の平面図
【考案を実施するための形態】
【０００７】  玄関マット（８）の内部に、円形の回転盤装置を設け、履物を回転盤（１）上で脱ぐことにより、人間の体重で心棒（２）が垂直に下がりスプリング（４）が圧縮される。
心棒の下部には、スプリングで圧縮された鉄球（５）が設けてあり、重力が軽くなると筒（３）の内側に設けた螺旋状の回転溝（６）に従って鉄球が誘導され、心棒が回転しながらスプリングにより反転位置まで押し上げられる。
これにより履物を脱いだ後、回転盤上の履物が自動的に反転する構造の玄関マットである。
【産業上の利用可能性】
【０００８】  病院・老人介護ホーム・旅館、家庭等、多岐に渡る利用が考えられる。
玄関マットのデザインも無限大であり、産業的にも貢献できる。
【符号の説明】
【０００９】１  回転盤
２  心棒
３  筒
４  スプリング
５  鉄球
６  回転溝
７  鉄球止め溝
【図１】
0003165827.tif 000003
【図２】
0003165827.tif 000004
【図３】
0003165827.tif 000005
【図４】
0003165827.tif 000006
【手続補正書】
【提出日】平成22年11月8日(2010.11.8)
【手続補正１】
【補正対象書類名】実用新案登録請求の範囲
【補正対象項目名】全文
【補正方法】変更
【補正の内容】
【実用新案登録請求の範囲】
【請求項１】
玄関マット（８）の内部に、円形の回転盤装置を設け、履物を回転盤（１）上で脱ぐことにより、人間の体重で回転盤の中心部に連結している心棒（２）が垂直に下がり玄関マット内の筒（３）に挿入することにより回転盤と心棒にてスプリング（４）を圧縮し、心棒の下部内部にスプリングで圧縮された鉄球（５）を設けた前記心棒が、回転盤に懸かる加重が除かれると筒の内側に設けた螺旋状の回転溝（６）に沿って鉄球が誘導され、圧縮されたスプリングを利用して反転位置まで心棒を押し上げることにより、心棒は上下毎に１８０度回転するが、反転停止位置は筒の内部に設け鉄球止め溝（７）で定め、心棒の上下の反復により履物を脱いだ後、回転盤上の履物を自動的に反転できることを特徴とする自動反転玄関マット。
(57)【要約】      （修正有）【課題】簡単に潰すことができるアルミ缶を提供する。【解決手段】側面に凹凸の溝を付ける。凹の溝は、凸の溝より直径が小さい。【選択図】図１
0003165826.tif 000002
【実用新案登録請求の範囲】
【請求項１】
アルミ缶の中身を飲んだ後、リサイクル回収に出すまでの間、嵩張る事により、家庭内で保管場所に苦労していたが、アルミ缶の側面に凹凸を付ける事により、上部から足で（靴、又は、スリッパを履いた状態）垂直に踏むだけで、提灯をたたむようにアルミ缶が潰れ小さくなり、リサイクル回収に出すまでの間の保管場所の確保の苦労が少なくなり、リサイクル回収に出す回数も減る。
【考案の詳細な説明】
【技術分野】
【０００１】  本考案は、アルミ缶を簡単に潰す事に関する。
【背景技術】
【０００２】  従来、飲んだ後のアルミ缶は、リサイクル回収に出すまでの間、保管に嵩張り、家庭内での適切な保管場所に苦労している。
【考案の概要】
【考案が解決しようとする課題】
【０００３】  飲んだ後のアルミ缶を小さく潰し、リサイクル回収に出すまでの間、保管の嵩張りを無くす。
【課題を解決するための手段】
【０００４】  アルミ缶の側面に凹凸を付けることにより、上部から足で（スリッパ、又は、靴を履いた状態）垂直に踏み小さく潰し、飲んだ後のアルミ缶を小さくする。
【考案の効果】
【０００５】  上述したように、アルミ缶潰し溝により、提灯をたたむように潰す事が出来、小さく嵩張らなくなり、見た目もコンパクトに保管が出来、リサイクル回収に出す回数も減る。
【図面の簡単な説明】
【０００６】
【図１】  アルミ缶に、本考案の凹凸を付けた実施形態を示す表裏
【図２】  アルミ缶の断面図
【考案を実施するための形態】
【０００７】  図１のように凹凸を付ける。
【実施例】
【０００８】  凹凸を付けることにより、部分的に強弱が出来、上部から圧迫することにより、提灯をたたむよう潰れ小さくなり、リサイクル回収に出すまでの間の保管場所に困らなくなり、リサイクル回収に出す回数も減る。
【産業上の利用可能性】
【０００９】  家庭内で、リサイクル回収に出すまでの間の保管に場所を取らなくなる事と、リサイクル回収に出す回数が減り利用の可能性が高い。
【図１】
0003165826.tif 000003
【図２】
0003165826.tif 000004
【手続補正書】
【提出日】平成22年11月5日(2010.11.5)
【手続補正１】
【補正対象書類名】実用新案登録請求の範囲
【補正対象項目名】請求項１
【補正方法】変更
【補正の内容】
【請求項１】
アルミ缶の側面に凹凸の溝を付け、凹の溝は凸の溝より直径の小さい溝を付けたアルミ缶。
(57)【要約】      （修正有）【課題】ラマン分光および表面増強ラマン分光における入射光の多重反射がもたらされ、被分析物質のラマン信号のピーク高さや面積などの強度を著しく増大させる分光用基板を提供する。【解決手段】シリコン基板表面に四角錐状の凸凹構造を形成した後、簡易なガスデポジション法を用いてその表面に銀ナノ粒子堆積膜１を形成した構造とした。この結果、ラマン分光や表面増強ラマン分光における入射光の多重反射がもたらされ、被分析物質のラマン信号強度を著しく増大させる効果がある。また、表面増強ラマン分光における信号やその強度増大に効果的な微小突起を多数形成した膜構造とした。【選択図】図１
0003165830.tif 000002
【実用新案登録請求の範囲】
【請求項１】
四角錐状凸凹構造のシリコン基板表面に、微小突起を有する銀ナノ粒子膜を堆積した構造を特徴とするラマン分光および表面増強ラマン分光用基板 
【請求項２】
農薬のクロチアニジン水溶液を用い、表面増強ラマン分光により約1ppb程度まで検出可能となる、銀ナノ粒子水溶液を併用することができる、請求項１の構造を特徴とする表面増強ラマン分光用基板 
【考案の詳細な説明】
【技術分野】
【０００１】
本考案は、ラマン分光あるいは表面増強ラマン分光に用いる基板に関するものである。
【背景技術】
【０００２】
従来のラマン分光あるいは表面増強ラマン分光には、光反射率の高い金属平板や、シリコン基板表面の倒立四角錐孔あるいはシリコン基板表面の多孔質孔に、貴金属ナノ粒子を配置した構造の基板を用いている。
【先行技術文献】
【特許文献】
【０００３】
【特許文献１】特開２００５−５２４８５７  公報
【特許文献２】特開２００８−５１９２５４  公報
【非特許文献】
【０００４】
【非特許文献１】ウエットエッチングによる太陽電池用シリコンウェハーへの低反射表面凸凹構造の形成技術（表面技術、Vol.５６、No.１２、p８４３−８４６、２００５）
【考案の概要】
【考案が解決しようとする課題】
【０００５】
従来のラマン分光あるいは表面増強ラマン分光に用いられる基板は、光反射率の高い金属基板や、シリコン基板表面の倒立四角錐孔あるいはシリコン基板表面の多孔質孔に、貴金属ナノ粒子を配置する構造である。
【０００６】
これらの基板構造では入射光の吸収が少ないためラマン信号強度が弱かったり、表面増強ラマン分光効果をもたらすために用いる基板表面の加工プロセスが複雑であるなどの課題があった。
【課題を解決するための手段】
【０００７】
本考案が提供するラマン分光あるいは表面増強ラマン分光用の基板は、上記課題を解決するために、シリコン基板表面に非特許文献１記載の既知手法で四角錐状の凸凹構造を形成し、簡易なガスデポジション法を用いてその表面に銀ナノ粒子堆積膜を形成した構造とした。
【考案の効果】
【０００８】
本考案によれば、四角錐状凸凹構造のシリコン基板表面にガスデポジション法を用い
て銀ナノ粒子堆積膜を形成し、ラマン分光および表面増強ラマン分光における入射光の多重反射がもたらされ、被分析物質のラマン信号のピーク高さや面積などの強度を著しく増大させる効果がある。
【０００９】
さらに本考案は、表面増強ラマン分光効果をもたらす活性点となりえる、数十〜数百
nmサイズの微小突起を多数有する銀ナノ粒子堆積膜構造を形成することができ、表面増強ラマン信号を生成する場を多くするとともに、その強度を増大する効果がある。
【図面の簡単な説明】
【００１０】
【図１】本考案の分光用基板の構造を示す図である。
【考案を実施するための形態】
【００１１】
本分光用基板は、テクスチャー処理を行った四角錐状凸凹構造のシリコン基板表面に銀ナノ粒子堆積膜を形成する。成膜後の基板は数mm角に切り分けてスライドグラスなどに張り付け、ラマン分光用基板として用いる。被分析サンプルはこの基板上に、例えば水溶液状として、数マイクロリッター程度の液量を滴下して、分光分析を実施する。また同様にして、表面増強ラマン分光用基板として用いる。
【実施例】
【００１２】
本分光用基板に、例えばモデル化学物質として塩素系殺菌剤であるクロロタロニル40
ppm溶液を3マイクロリットル滴下し、銀蒸着膜基板を用いて同様にラマン分光分析を行った結果と比較を行った。分析には日本電子製JRS-SYSTEM2000型顕微ラマン分光装置（励起波長632.8nm、分解能1cm-1、最大出力30mW、対物レンズ50倍）を用いた。その結果、銀蒸着膜と比較し1267cm-1あるいは2240cmのピーク高さを基準にして計算すると約3倍程度の感度増加効果が確認された。同様の方法で、モデル化学物質として表面増強ラマン効果を有するネオニコチノイド系農薬のクロチアニジン水溶液と銀ナノ粒子混合液を同基板に滴下し分析を行うと、約1ppb程度の低濃度領域まで検出することが可能であった。
【産業上の利用可能性】
【００１３】
本分光用基板を用いると、食品や環境中の残留農薬や化学物質などの高感度分析を行うことができる。またその他、人間や動物由来の体液などの化学成分をごく微量のサンプルを用いて測定することが可能となる。
【符号の説明】
【００１４】
１  銀ナノ粒子堆積膜
２  四角錐状凸凹構造のシリコン基板
【図１】
0003165830.tif 000003
【手続補正書】
【提出日】平成22年11月29日(2010.11.29)
【手続補正１】
【補正対象書類名】実用新案登録請求の範囲
【補正対象項目名】全文
【補正方法】変更
【補正の内容】
【実用新案登録請求の範囲】
【請求項１】
四角錐状凸凹構造のシリコン基板表面に、微小突起を有する銀ナノ粒子膜を堆積した構造を特徴とするラマン分光および表面増強ラマン分光用基板
【請求項２】
農薬のクロチアニジン水溶液と銀ナノ粒子水溶液の混合液を、表面増強ラマン分光により約1ppb程度まで検出可能であることを特徴とする、請求項1に記載の表面増強用ラマン分光用基板